【手続補正書】
【提出日】平成17年8月5日(2005.8.5)
【手続補正１】
【補正対象書類名】特許請求の範囲
【補正対象項目名】全文
【補正方法】変更
【補正の内容】
【特許請求の範囲】
【請求項１】
合成ガスを炭化水素質生成物へ転化する方法において、
ａ）  合成ガスの第一部分を二機能合成ガス転化工程にかけて、芳香族およびイソパラフィンおよび未反応の合成ガスを含有する第一炭化水素質生成物を含む第一流出物を形成し、
ｂ）  未反応の合成ガスの少なくとも一部分を含む合成ガスの第二部分をフィッシャー・トロプシュ合成工程にかけて、直鎖パラフィン及び直鎖オレフィンを含有する第二炭化水素質生成物を含む第二流出物を形成し、そして
ｃ）  前記直鎖オレフィンをイソパラフィンでアルキル化し、高オクタン価ガソリン範囲アルキレートを生成させる、
諸工程を行う合成ガス転化法。
【請求項２】
第一炭化水素質生成物のイソパラフィンが、イソブタンを含む、請求項１に記載の方法。
【請求項３】
第一炭化水素質生成物が、高オクタン価芳香族ガソリンを含む、請求項１に記載の方法。
【請求項４】
第二炭化水素質生成物の直鎖オレフィンが、Ｃ３〜Ｃ５の範囲のオレフィンである、請求項１に記載の方法。
【請求項５】
第二炭化水素質生成物が、直鎖アルコール、直鎖酸、及びナフサを含有する、請求項１に記載の方法。
【請求項６】
第二炭化水素質生成物が、７０％より多くのパラフィンを含有するＣ１０＋範囲の物質を含む、請求項１に記載の方法。
【請求項７】
合成ガスの第一部分及び合成ガスの第二部分の少なくとも一部分を、合成ガスの共通原料から誘導する、請求項１に記載の方法。
【請求項８】
合成ガスの第一部分及び合成ガスの第二部分の少なくとも一部分を、合成ガスの異なった原料から誘導する、請求項１に記載の方法。
【請求項９】
更に、工程（ｂ）の前の第一流出物から、合成ガスの未反応部分を分離することを含む、請求項１に記載の方法。
【請求項１０】
更に、第二炭化水素質生成物を処理して、ジェット燃料、ディーゼル燃料、他の蒸留物燃料、潤滑油基礎原料、又は潤滑油基礎原料供給物の少なくとも一種類にすることを含む、請求項１に記載の方法。
【請求項１１】
高オクタン価芳香族ガソリン及び高オクタン価ガソリン範囲アルキレートを混合して、高オクタン価ガソリン混合物成分を生成させる、請求項３に記載の方法。
【請求項１２】
高オクタン価ガソリン混合物成分が、１０％より多い芳香族及び１０％より多いジメチルイソパラフィンを含有するＣ５〜Ｃ１０範囲の物質を含む、請求項１１に記載の方法。
【請求項１３】
更に、第二炭化水素質生成物を処理して、ジェット燃料、ディーゼル燃料、他の蒸留物燃料、潤滑油基礎原料、又は潤滑油基礎原料供給物の少なくとも一種類にすることを含む、請求項１１に記載の方法。
【請求項１４】
合成ガスを炭化水素質生成物へ転化する方法において、
ａ）  合成ガスを与え、
ｂ）  前記合成ガスの少なくとも一部分を二機能合成ガス転化工程にかけて未反応合成ガス含有第一流出物、及び芳香族及びイソパラフィン含有第一炭化水素質生成物を形成し、
ｃ）  前記未反応合成ガスをフィッシャー・トロプシュ合成工程にかけ、直鎖パラフィン及び直鎖オレフィン含有第二炭化水素質生成物を含む第二流出物を形成し、そして
ｄ）  前記直鎖オレフィンを、前記イソパラフィンの少なくとも一部分でアルキル化して高オクタン価ガソリン範囲のアルキレートを生成させる、
諸工程を行う合成ガス転化方法。
【請求項１５】
第一炭化水素質生成物のイソパラフィンが、イソブタンを含む、請求項１４に記載の方法。
【請求項１６】
第一炭化水素質生成物が、高オクタン価芳香族ガソリンを含む、請求項１４に記載の方法。
【請求項１７】
第二炭化水素質生成物の直鎖オレフィンが、Ｃ３〜Ｃ５の範囲のオレフィンである、請求項１４に記載の方法。
【請求項１８】
第二炭化水素質生成物が、直鎖アルコール、直鎖酸、及びナフサを含有する、請求項１４に記載の方法。
【請求項１９】
第二炭化水素質生成物が、７０％より多くのパラフィンを含有するＣ１０＋範囲の物質を含む、請求項１４に記載の方法。
【請求項２０】
合成ガスを与える工程が、メタン、軽質炭化水素、石炭、石油生成物、又はそれらの組合せから合成ガスを生成させることを含む、請求項１４に記載の方法。
【請求項２１】
更に、工程（ｃ）の前の第一流出物から、合成ガスの未反応部分を分離することを含む、請求項１４に記載の方法。
【請求項２２】
更に、第二炭化水素質生成物を処理して、ジェット燃料、ディーゼル燃料、他の蒸留物燃料、潤滑油基礎原料、又は潤滑油基礎原料供給物の少なくとも一種類にすることを含む、請求項１４に記載の方法。
【請求項２３】
高オクタン価芳香族ガソリン及び高オクタン価ガソリン範囲アルキレートを混合して、高オクタン価ガソリン混合物成分を生成させる、請求項１６に記載の方法。
【請求項２４】
高オクタン価ガソリン混合物成分が、１０％より多い芳香族及び１０％より多いジメチルイソパラフィンを含有するＣ５〜Ｃ１０範囲の物質を含む、請求項２３に記載の方法。
【請求項２５】
更に、第二炭化水素質生成物を処理して、ジェット燃料、ディーゼル燃料、他の蒸留物燃料、潤滑油基礎原料、又は潤滑油基礎原料供給物の少なくとも一種類にすることを含む、請求項２３に記載の方法。
【請求項２６】
二機能合成ガス転化工程を、フィッシャー・トロプシュ合成工程よりも高い圧力で行う、請求項１４に記載の方法。
【請求項２７】
二機能合成ガス転化工程を、フィッシャー・トロプシュ合成工程よりも高い温度で行う、請求項１４に記載の方法。
【請求項２８】
更に、工程（ｃ）前の第一流出物から合成ガスの未反応部分を分離することを含み、然も、
ａ）  第一炭化水素質生成物のイソパラフィンがイソブタンを含み、
ｂ）  第二炭化水素質生成物の直鎖オレフィンがＣ３〜Ｃ５の範囲のオレフィンであり、
ｃ）  第二炭化水素質生成物が、直鎖アルコール、直鎖酸、及びナフサを含み、
ｄ）  第二炭化水素質生成物が、７０％より多くのパラフィンを含有するＣ１０＋範囲の物質を含み、そして
ｅ）  高オクタン価ガソリン混合物成分が、１０％より多くの芳香族及び１０より多くのジメチルイソパラフィンを含有するＣ５〜Ｃ１０範囲の物質を含む、
請求項２５に記載の方法。
【請求項２９】
合成ガスを炭化水素質生成物へ転化する方法において、
ａ）  合成ガスを与え、
ｂ）  前記合成ガスの少なくとも一部分を二機能合成ガス転化工程にかけて未反応合成ガス、二酸化炭素、水の第一部分、及び芳香族及びイソブタン含有第一炭化水素質生成物を含む第一流出物を形成し、
ｃ）  前記第一炭化水素質生成物を、軽質ガス留分、イソブタン含有流、及び高オクタン価芳香族ガソリン混合物成分へ分離し、
ｄ）  前記未反応合成ガスをフィッシャー・トロプシュ合成工程にかけて水、未反応合成ガスの第二部分、及び直鎖パラフィン及び直鎖オレフィン含有第二炭化水素質生成物を含む第二流出物を形成し、
ｅ）  前記第二炭化水素質生成物を、軽質ガス流、Ｃ３〜Ｃ４オレフィン含有流、及びＣ５＋流へ分離し、
ｆ）  前記オレフィン含有流をイソブタン含有流でアルキル化し、然も、アルキル化反応器への供給物の酸素含有量が４０００ｐｐｍより少なく、高オクタン価イソパラフィンガソリン範囲アルキレートを生成させる、
諸工程を行う、合成ガス転化方法。
【請求項３０】
二機能合成ガス転化工程を、５０気圧の圧力及び４００℃の温度を有する合成ガスの第一部分を用い、亜鉛、クロム、酸性形のＺＳＭ−５ゼオライトからなる二機能合成ガス転化触媒を用いて行う、請求項２９に記載の方法。
【請求項３１】
フィッシャー・トロプシュ合成工程を、２０気圧の圧力及び２４５℃の温度を有する合成ガスの第二部分を用い、コバルト触媒を含むフィッシャー・トロプシュ合成触媒を用いて行う、請求項２９に記載の方法。
【請求項３２】
フィッシャー・トロプシュ合成工程を、２０気圧の圧力及び２４５℃の温度を有する合成ガスの第二部分を用い、コバルト触媒を含むフィッシャー・トロプシュ合成触媒を用いて行う、請求項３０に記載の方法。
【請求項３３】
Ｃ５＋流を高級化して、ナフサ、蒸留物燃料、及び潤滑油混合原料からなる群の少なくとも一種類を形成する、請求項２９に記載の方法。
【請求項３４】
高オクタン価芳香族ガソリン混合物成分を、高オクタン価イソパラフィンガソリン範囲アルキレートと混合し、芳香族及び高度に分岐したイソパラフィンを含有する高オクタン価ガソリン混合物Ｃ５＋成分を生成させる、請求項２９に記載の方法。
【請求項３５】
高オクタン価芳香族ガソリン混合物成分を、高オクタン価イソパラフィンガソリン範囲アルキレートと混合し、芳香族及び高度に分岐したイソパラフィンを含有する高オクタン価ガソリン混合物成分を生成させる、請求項３３に記載の方法。
【請求項３６】
工程（ｆ）のアルキル化を、硫酸上で２０℃で行う、請求項３２に記載の方法。
【請求項３７】
更に、第一流出物から二酸化炭素及び未反応合成ガスの第一部分を分離し、然る後、第一炭化水素質生成物を分離し、そして第二流出物から水の第二部分及び未反応合成ガスの第二部分を分離し、然る後、第二炭化水素質生成物を分離することを行う、請求項２９に記載の方法。
【請求項３８】
二機能合成ガス転化工程を、５０気圧の圧力及び４００℃の温度を有する合成ガスの第一部分を用い、亜鉛、クロム、酸性形のＺＳＭ−５ゼオライトからなる二機能合成ガス転化触媒を用いて行い、
フィッシャー・トロプシュ合成工程を、２０気圧の圧力及び２４５℃の温度を有する合成ガスの第二部分を用い、コバルト触媒を含むフィッシャー・トロプシュ合成触媒を用いて行い、
工程（ｆ）のアルキル化を硫酸上で２０℃で行い、
Ｃ５＋流を高級化して、ナフサ、蒸留物燃料、及び潤滑油混合物原料からなる群の少なくとも一種類を形成し、そして
高オクタン価芳香族ガソリン混合物成分を、高オクタン価イソパラフィンガソリン範囲アルキレートと混合し、芳香族及び高度に分岐したイソパラフィンを含有する高オクタン価ガソリン混合物成分を生成させる、
請求項３７に記載の方法。